(57)【要約】【課題】部材数を削減した光源モジュール及び照明器具を提供する。【解決手段】実施形態によれば、カバーと、基板と、光源と、を備えた光源モジュールが提供される。前記カバーは、包囲部と、第１部分と、第２部分と、を備える。前記包囲部は、内部に空間を有するとともに、光透過性を有する。前記第１部分は、前記包囲部と一体形成され、前記包囲部よりも熱伝導性に優れる。前記第２部分は、前記第１部分の少なくとも一部に対向するように設けられる。前記基板は、前記第１部分と前記第２部分の間に設けられる。前記光源は、前記空間に光を出射可能なように、前記基板に設けられる。【選択図】図１
2016181404.tif 000002
【特許請求の範囲】
【請求項１】
内部に空間を有するとともに、光透過性を有する包囲部と、前記包囲部と一体形成され、前記包囲部よりも熱伝導性に優れる第１部分と、前記第１部分の少なくとも一部に対向するように設けられた第２部分と、を備えたカバーと；
前記第１部分と前記第２部分の間に設けられた基板と；
前記空間に光を出射可能なように、前記基板に設けられた光源と；
を備えた光源モジュール。
【請求項２】
前記第１部分は、前記空間方向に突出する第１凸部を有し、
前記第１凸部は、前記基板の前記光源が設けられた面と反対の面と接触する請求項１記載の光源モジュール。
【請求項３】
前記カバーは、前記包囲部の内壁面であって前記第２部分の近傍に設けられた第２凸部を有する請求項１または２記載の光源モジュール。
【請求項４】
請求項１〜３のいずれか１つに記載の光源モジュールと；
前記光源モジュールを取り付ける器具本体と；
を備えた照明器具。
【発明の詳細な説明】
【技術分野】
【０００１】
本発明の実施形態は、光源モジュール及び照明器具に関する。
【背景技術】
【０００２】
天井に取り付けられて室内を照明する照明器具がある。照明器具は、光源モジュールと、この光源モジュールを収容する器具本体と、を有する。光源モジュールは、金具等を用いて器具本体に着脱自在に取り付けられる。このような照明器具において、部材数を削減することが望まれている。
【先行技術文献】
【特許文献】
【０００３】
【特許文献１】特開２０１４−７８４２６号公報
【発明の概要】
【発明が解決しようとする課題】
【０００４】
本発明の実施形態は、部材数を削減した光源モジュール及び照明器具を提供する。
【課題を解決するための手段】
【０００５】
本発明の実施形態によれば、 カバーと、基板と、光源と、を備えた光源モジュールが提供される。前記カバーは、包囲部と、第１部分と、第２部分と、を備える。前記包囲部は、内部に空間を有するとともに、光透過性を有する。前記第１部分は、前記包囲部と一体形成され、前記包囲部よりも熱伝導性に優れる。前記第２部分は、前記第１部分の少なくとも一部に対向するように設けられる。前記基板は、前記第１部分と前記第２部分の間に設けられる。前記光源は、前記空間に光を出射可能なように、前記基板に設けられる。
【発明の効果】
【０００６】
本発明の実施形態によれば、部材数を削減した光源モジュール及び照明器具を提供することができる。
【図面の簡単な説明】
【０００７】
【図１】本実施形態の照明器具の斜視図である。
【図２】本実施形態の照明器具の一部の斜視図である。
【図３】図３（ａ）及び図３（ｂ）は、本実施形態の照明器具の一部の斜視図である。
【図４】本実施形態の照明器具の一部の分解斜視図である。
【図５】本実施形態の照明器具の一部を示す図である。
【図６】本実施形態の別の照明器具の一部を示す図である。
【図７】本実施形態の別の照明器具の一部を示す図である。
【図８】照明器具の内部を説明する図である。
【図９】図９（ａ）〜図９（ｃ）は、光源モジュールと器具本体との取り付けを説明する図である。
【発明を実施するための形態】
【０００８】
実施形態に係る発明は、内部に空間を有するとともに、光透過性を有する包囲部と、前記包囲部と一体形成され、前記包囲部よりも熱伝導性に優れる第１部分と、前記第１部分の少なくとも一部に対向するように設けられた第２部分と、を備えたカバーと；前記第１部分と前記第２部分の間に設けられた基板と；前記空間に光を出射可能なように、前記基板に設けられた光源と；を備えた光源モジュールである。
【０００９】
また、前記第１部分は、前記空間方向に突出する第１凸部を有し、前記第１凸部は、前記基板の前記光源が設けられた面と反対の面と接触する光源モジュールである。
【００１０】
また、前記カバーは、前記包囲部の内壁面であって前記第２部分の近傍に設けられた第２凸部を有する光源モジュールである。
【００１１】
実施形態に係る発明は、上記のいずれかに記載の光源モジュールと；前記光源モジュールを取り付ける器具本体と；を備えた照明器具である。
【００１２】
以下に、本発明の各実施の形態について図面を参照しつつ説明する。  
なお、図面は模式的または概念的なものであり、各部分の厚みと幅との関係、部分間の大きさの比率などは、必ずしも現実のものと同一とは限らない。また、同じ部分を表す場合であっても、図面により互いの寸法や比率が異なって表される場合もある。  
なお、本願明細書と各図において、既出の図に関して前述したものと同様の要素には同一の符号を付して詳細な説明は適宜省略する。
【００１３】
（本実施形態）
図１は、本実施形態の照明器具の斜視図である。
図２は、本実施形態の照明器具の一部の斜視図である。
図３（ａ）及び図３（ｂ）は、本実施形態の照明器具の一部の斜視図である。
図４は、本実施形態の照明器具の一部の分解斜視図である。
図５は、本実施形態の照明器具の一部を示す図である。
図６は、本実施形態の別の照明器具の一部を示す図である。
図７は、本実施形態の別の照明器具の一部を示す図である。
【００１４】
図２は、器具本体１０を取り外した状態を示している。図３（ａ）及び図３（ｂ）は、光源モジュール２０を取り外した状態を示している。図４は、図３（ａ）の光源モジュール２０の分解斜視図である。図５から図７は、光源モジュール２０の側面図である。
【００１５】
図１に表すように、照明器具１００は、器具本体１０と、光源モジュール２０と、を備える。照明器具１００は、光源モジュール２０を下方に向けた状態で室内の天井面に取り付けられる。器具本体１０がネジ等によって天井面に取り付けられる。器具本体１０は、光源モジュール２０の支持に用いられるとともに、天井などの取付対象への照明器具１００の取り付けに用いられる。照明器具１００は、室内に光を照射する。なお、照明器具１００は、天井面に限ることなく、例えば、壁面などに取り付けても良い。また、複数の照明器具１００を連結させても良い。
【００１６】
図２に表すように、器具本体１０は、筐体１１と、取付金具１４と、電源回路１５と、端子台１６と、を備える。また、筐体１１は、反射板１２と、端板１３と、を備える。
【００１７】
筐体１１は、光源モジュール２０の一部を収容するための凹部１１ａを有する。また、筐体１１には、照明器具１００を天井面などに取り付けるための金具（例えば、ネジ）や電源回路１５に電力を供給する電源ケーブルなどを通すための複数の開口が設けられる。
【００１８】
筐体１１には、鉄、アルミニウム、または、ステンレスなどの金属材料が用いられる。筐体１１に金属材料を用いることにより、器具本体１０の耐久性を高めることができる。筐体１１には、樹脂材料を用いても良い。
【００１９】
反射板１２は、光源モジュール２０内の光源２５から照射された光を反射する。反射板１２によって反射された光は、照明器具１００の下方に向かう。
端板１３は、反射板１２の長手方向の両端に設けられている。筐体１１の凹部１１ａは、反射板１２及び端板１３に囲まれた部分である。
【００２０】
取付金具１４は、ネジ止めなどにより、筐体１１の凹部１１ａ内に取り付けられる。取付金具１４は、光源モジュール２０の保持部材２２に設けられた弾性体３０と掛止し、筐体１１の凹部１１ａから抜ける方向への移動を規制する。取付金具１４には、筐体１１と同様の金属材料が用いられる。器具本体１０には、保持部材２２に対応して複数の取付金具１４が設けられる。この例では、２つの取付金具１４が設けられる。取付金具１４の数は、任意で良い。取付金具１４の数は、１つでも良いし、３つ以上でも良い。
【００２１】
電源回路１５は、外部から供給される電力を光源モジュール２０に対応した電圧または電流に変換して、光源モジュール２０に供給する。光源モジュール２０は、電源回路１５からの電力供給に応じて光源２６を点灯させ、光を照射する。電源回路１５は、照明器具１００とは別に設けても良い。
【００２２】
端子台１６は、外部の電源と電源回路１５との間の電気的な接続や、電源回路１５と各光源２５との間の電気的な接続に用いられる。電源回路１５及び端子台１６は、ネジ止めなどにより、筐体１１の凹部１１ａ内に取り付けられる。
【００２３】
図３及び図４に表すように、光源モジュール２０は、カバー２１と、保持部材２２と、側板２３と、基板２４と、光源２５と、を備える。基板２４は、第１面２４ａと、第１面２４ａと反対側の第２面２４ｂと、を有する。
【００２４】
カバー２１は、内部空間に基板２４に設けられた光源２５の光が出射されるように、光源２５を覆う。カバー２１は、外力や塵埃などから光源２５を保護する。カバー２１は、光透過性を有する。カバー２１は、光源２５の放出する光に対して光透過性である。カバー２１は、例えば乳白色で光拡散性である。カバー２１は、透明であっても良い。カバー２１には、光透過性の樹脂材料が用いられる。
【００２５】
また、カバー２１は、基板２４を挿入して収納する挿通孔２１оを有する。挿通孔２１оは、基板２４の形状に基づいて設けることができる。例えば、基板２４が矩形状を有する場合、カバー２１は、矩形状に形成された挿通孔２１оを有する。カバー２１が挿通孔２１оによって基板２４を収納することで、基板２４を支持して固定するための金属等のシャーシを設けることなく、光源モジュール２０内に、光源２５を有する基板２４を設けることができる。
【００２６】
保持部材２２は、弾性体３０を固定して弾性体３０をカバー２１に保持する部材である。つまり、保持部材２２は、弾性体３０をカバー２１から外れないようにする。光源モジュール２０には、複数の保持部材２２が設けられる。複数の保持部材２２は、ネジ等を用いてカバー２１に固定してカバー２１に設けられる。この例では、２つの保持部材２２が設けられる。保持部材２２の数は、任意で良い。保持部材２２の数は、１つでも良いし、３つ以上でも良い。
【００２７】
保持部材２２には、例えば、鉄、アルミニウム、または、ステンレスなどの金属材料が用いられる。保持部材２２には、例えば、樹脂材料などを用いてもよい。但し、保持部材２２には、上記のような金属材料を用いることが好ましい。これにより、例えば、保持部材２２の耐久性を向上させることができる。また、保持部材２２は、例えば、１枚の板材料から形成される。これにより、例えば、部品点数を削減することができる。例えば、光源モジュール２０のコストを抑えることができる。例えば、保持部材２２に樹脂材料を用いる場合、保持部材２２は、射出成形などによって形成された１つの部品であることが好ましい。
【００２８】
側板２３は、カバー２１の長手方向の両端に設けられている。側板２３の形状は、略扇形状である。
【００２９】
基板２４には、光源２５が設けられている。基板２４には、例えば、複数の光源２５が設けられる。各光源２５は、基板２４の第１面２４ａに並べて配置される。光源２５の数は、任意で良い。光源２５の数は、例えば、１つでも良い。
【００３０】
光源２５には、例えば、発光ダイオード（Light Emitting Diode：ＬＥＤ）が用いられる。光源２５は、有機発光ダイオード（Organic Light Emitting Diode：ＯＬＥＤ）、無機エレクトロルミネッセンス（Inorganic ElectroLuminescence）発光素子、有機エレクトロルミネッセンス（Organic ElectroLuminescence）発光素子、または、その他の電界発光型の発光素子などでも良い。光源２５は、電球などでも良い。
【００３１】
図５に表すように、カバー２１は、平坦状のベース部２１Ａと、湾曲状の曲部２１Ｂと、を有する。また、カバー２１には、包囲部２１Ｃが設けられており、包囲部２１Ｃは、ベース部２１Ａ及び曲部２１Ｂを有する。ベース部２１Ａ及び曲部２１Ｂの間、つまり、包囲部２１Ｃの内部には空間Ｓが形成されている。ベース部２１Ａの中央側には第１部分２１ａが形成されている。また、カバー２１の内部の空間Ｓに向かって屈曲するように、ベース部２１Ａの中央側には第２部分２１ｂが形成されている。ベース部２１Ａ上であって第１部分２１ａ及び曲部２１Ｂの間には、空間Ｓに対して逆の方に向かって屈曲部２１ｅが延出している。
【００３２】
基板２４は、カバー２１に挿入されて設けられている。カバー２１には、斜線部分で表すような第１部分２１ａが設けられている。第１部分２１ａは、基板２４の第２面２４ｂに対向して第２部分２１ｂと基板２４を挟み込んで固定する。第１部分２１ａは、例えば、基板２４の第２面２４ｂに沿って矩形状に設けられている。例えば、第１部分２１ａは、基板２４の第２面２４ｂに接触する。
【００３３】
第１部分２１ａは、第１部分２１ａと連結した部分（例えば、第２部分２１ｂやベース部２１Ａ）と一体的に形成される。例えば、第１部分２１ａは、二色成形等の異材質成形などによって一体的に形成される。つまり、図５のような断面において空間Ｓは閉空間であるため、基板２４はカバー２１の端部開口からスライドさせて第１部分２１ａと第２部分２１ｂの間に配置される。なお、カバー２１は、高反射性を有する部分をさらに追加した三色成形であっても構わない。
【００３４】
第１部分２１ａは、カバー２１に樹脂材料を用いて形成した場合、包囲部２１Ｃよりも熱伝導性が高い樹脂を用いて形成される。第１部分２１ａは、例えば、高熱伝導樹脂を用いて形成される。例えば、第１部分２１ａは、ポリカーボネート（ＰＣ）樹脂、ポリブチレンテレフタレート（ＰＢＴ）樹脂、または、ポリアミド（ＰＡ）樹脂等を用いて形成される。第１部分２１ａは、前述した樹脂に限らず、熱伝導性を有する周知の樹脂を用いて形成されることができる。また、第１部分２１ａは、複数の樹脂を用いて形成されても良い。第１部分２１ａを形成する樹脂内に熱伝導性フィラーが含有しても良い。また、第１部分２１ａの熱伝導性を高くするために、第１部分２１ａにセラミックやカーボンなどを含有しても良い。
【００３５】
カバー２１は、例えば、二色成形によって、熱伝導性を有する第１部分２１ａと、光透過性を有して第１部分２１ａに連結した部分（例えば、第２部分２１ｂ）と、を有する。
【００３６】
カバー２１には、第２部分２１ｂが設けられている。第２部分２１ｂは、第１部分２１ａと基板２４を挟み込んで固定する。第２部分２１ｂは、第１部分２１ａに対向する。第２部分２１ｂは、基板２４の第１面２４ａの一部と接触するカバー２１の一部であって、光源モジュール２０の内部（例えば、光源２５が設けられた部分）に向かって延在する部分である。また、第２部分２１ｂは、例えば、基板２４の長手方向に沿って矩形状に設けられている。第２部分２１ｂは、光源モジュール２０の内部に向かってカバー２１に段差を設けることで形成される。具体的には、第２部分２１ｂは、カバー２２の内部の空間Ｓに向かって屈曲するように段差状に形成されている。なお、第２部分２１ｂは、基板２４の長手方向に連続的に形成されている場合に限らず、長手方向の数カ所に部分的に形成されていても良い。
【００３７】
熱伝導性を有する第１部分２１ａが基板２４の第２面２４ｂに対向して設けられている（例えば、第１部分２１ａが第２面２４ｂに接触している）ので、基板２４に設けられた光源２５からの熱は、第１部分２１ａに伝わった後、カバー２１の第１部分２１ａに連結した部分に伝わり易くなる。これにより、カバー２１の放熱性が向上する。また、第１部分２１ａは樹脂であるため、基板２４は絶縁性の高い材料によって覆われていることになり、基板２４に金属を用いた場合でもアースをする必要がなくなるというメリットも得られる。例えば、基板２４の周囲の絶縁性を高くすることで、金属等のシャーシが基板２４の第２面２４ｂに接触している場合に必要な基板２４のアース処理をしなくても良い。例えば、光源モジュール２０において、アース線等によって基板２４を接地する必要がなくなる。
【００３８】
また、図６に表すように、光源２５からの熱を第１部分２１ａに伝え易くするために、第１部分２１ａに凸部２１ｃ（第１凸部）を設けることができる。凸部２１ｃは、例えば、熱伝導性リブである。凸部２１ｃは、例えば、第１部分２１ａと同じ材料を用いて形成することができる。凸部２１ｃは、第１部分２１ａの一部として形成されるのが望ましい。
【００３９】
凸部２１ｃは、光源２５の少なくとも一部に基板２４を介して対向している。例えば、凸部２１ｃは、光源２５の少なくとも一部に基板２４を介して対向するように、基板２４（第２面２４ｂ）に接触している。凸部２１ｃは、例えば、基板２４に設けられた光源２５の配列方向に沿って空間Ｓの方向に設けることができる。前述のとおり、第１部分２１ａと包囲部２１Ｃが二色成形によって一体化されている場合、基板２４は端部の開口からスライドさせて第１部分２１ａと第２部分２１ｂの間に配置される。基板２４を第１部分２１ａと第２部分２１ｂの間にスライドさせるには適度な隙間が必要となるため、基板２４を第１部分２１ａと第２部分２１ｂの間に配置した結果、第１部分２１ａや基板２４の反り、曲りなどの寸法バラつき等によって第１部分２１ａと基板２４の第２面２４ｂの間に接触しない部分が発生することがある。その接触しない第１部分２１ａと第２面２４ｂの部分が光源２５の実装部分の裏面側であった場合、放熱性が低下してしまう。そこで、光源２５の実装部分に対応する第２面２４ｂに接触するように凸部２１ｃを形成し、光源２５の放熱性が低下しないようにしている。図４及び図６のように、複数の光源２５が基板２４の長手方向に沿って２列配置されている場合、２つの凸部２１ｃが光源２５に対向するように光源２５の配列方向に沿って設け、基板２４に設けられた光源２５からの熱が凸部２１ｃを介して第１部分２１ａに伝え、カバー２１の第１部分２１ａに連結した部分に伝わり易くなるので、カバー２１の放熱性が向上する。
【００４０】
凸部２１ｃの数や配置は、これに限定することなく、凸部２１ｃは、種々の形態によって形成されることができる。例えば、凸部２１ｃは、光源２５が設けられた基板２４の領域に対向するように設けられても良い。
【００４１】
また、図７に表すように、カバー２１の強度を確保するために、カバー２１（例えば、包囲部２１Ｃ）の内壁面であって第２部分２１ｂの近傍に凸部２１ｄ（第２凸部）を設けることができる。凸部２１ｄは、例えば、補強リブである。凸部２１ｄは、例えば、第２部分２１ｂと同じ材料を用いて形成することができる。
【００４２】
凸部２１ｄは、例えば、基板２４の長手方向に沿って設けることができる。図７のように、２つの凸部２１ｄは、基板２４の長手方向に沿って基板２４の両端に設けられている。また、２つの凸部２１ｄは、基板２４の長手方向に沿っての第２部分２１ｂの両端に設けられている。これにより、カバー２１の強度を高くして、カバー２１に基板２４を安定的に固定できる。
【００４３】
本実施形態の照明器具１００において、熱伝導性を有する第１部分２１ａが基板２４の第２面２４ｂに対向して設けられている。このような第１部分２１ａを設けると、金属等のシャーシを設けることなく、カバー２１の放熱性を向上させることができる。また、基板２４を支持して固定するためのシャーシを取り付ける必要がなくなるので、照明器具１００の部品点数の削減及び製造工程を減らすことができる。
【００４４】
以下、本実施形態の照明器具１００における光源モジュール２０と器具本体１０との取り付けを説明する。
【００４５】
図８は、照明器具の内部を説明する図である。
図９（ａ）〜図９（ｃ）は、光源モジュールと器具本体との取り付けを説明する図である。
【００４６】
図８は、端板１３側からみた照明器具１００の内部であって、器具本体１０の取付金具１４が光源モジュール２０の保持部材２２に弾性体３０によって取り付けられている状態を示している。なお、図９（ａ）〜図９（ｃ）において、取付金具１４を固定する反射板１２を図示していない。
【００４７】
図８に表すように、反射板１２は、例えば、一枚の板金から形成されている。反射板１２は、複数の屈曲部１２ｆを有する。凹部１１ａは、複数の屈曲部１２ｆの一部によって形成される。また、取付金具１４は、ネジ等を用いて反射板１２に固定される。
【００４８】
保持部材２２は、その両端において、カバー２１（屈曲部２１ｅ）に固定されている。また、保持部材２２の中央には、トーションバネ等の弾性体３０が設けられている。弾性体３０が取付金具１４の一部（掛止部１４ａ）に掛止されることで取付金具１４が保持部材２２に取り付けられる。これにより、光源モジュール２０が器具本体１０に取り付けられる。
【００４９】
図９（ａ）に表すように、弾性体３０の先端部分３０ａが取付金具１４の掛止部１４ａに掛止されて固定される。光源モジュール２０が器具本体１０に対して仮吊りの状態となる。仮吊りの状態において、器具本体１０内の配線作業等が行われる。仮吊りの状態から光源モジュール２０に上方向（矢印方向）の力を加えて押し上げる。
【００５０】
図９（ｂ）に表すように、仮吊りの状態から光源モジュール２０に上方向（矢印方向）の力を加えて押し上げると、弾性体３０の挿通部分３０ｂは、取付金具１４の孔１４ｏに入り込む。つまり、弾性体３０は、取付金具１４に挿入される。挿通部分３０ｂは、例えば、湾曲形状を有する。
【００５１】
図９（ｃ）に表すように、図９（ｂ）の状態から光源モジュール２０に上方向の力をさらに加えて押し上げると、挿通部分３０ｂが孔１４ｏに入り込み、弾性体３０の当接部分３０ｃが掛止部１４ａに掛止される。光源モジュール２０が器具本体１０に向かって吸い上がることで、光源モジュール２０は器具本体１０に取り付けられて固定される。
【００５２】
本実施形態によれば、部材数を削減した光源モジュール及び照明器具が提供される。
【００５３】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００５４】
１０…器具本体、  １１…筐体、  １１ａ…凹部、  １２…反射板、  １２ｆ…屈曲部、  １３…端板、  １４…取付金具、  １４ａ…掛止部、  １４ｏ…孔、１５…電源回路、  １６…端子台、  ２０…光源モジュール、  ２１…カバー、  ２１Ａ…ベース部、  ２１Ｂ…曲部、  ２１Ｃ…包囲部、  ２１ａ…第１部分、  ２１ｂ…第２部分、  ２１ｃ、２１ｄ…凸部、  ２１ｅ…屈曲部、  ２１о…挿通孔、  ２２…保持部材、  ２３…側板、  ２４…基板、  ２４ａ…第１面、  ２４ｂ…第２面、  ２５…光源、  ３０…弾性体、  ３０ａ…先端部分、  ３０ｂ…挿通部分、  ３０ｃ…当接部分、  １００…照明器具、  Ｓ…空間
【図１】
2016181404.tif 000003
【図２】
2016181404.tif 000004
【図３】
2016181404.tif 000005
【図４】
2016181404.tif 000006
【図５】
2016181404.tif 000007
【図６】
2016181404.tif 000008
【図７】
2016181404.tif 000009
【図８】
2016181404.tif 000010
【図９】
2016181404.tif 000011